(57)【特許請求の範囲】
【請求項１】
使用者側の引手（Ｌ）とクラブヘッド側の押手（Ｒ）との両手を用いた
ゴルフスイング練習に用いるスイング練習補助具（１）であって、
前記スイング練習補助器具（１）は、少なくとも
半球状弾性体（２）と、固定具（３）とを備え、
半球状弾性体（２）は、
弾性体を材質とし断面が略楕円形状に凹部（２０）を設けたものであり、
前記凹部（２０）は、
引手（Ｌ）の手首と親指中手骨を嵌めるように形成されており、
固定具（３）は、
引手（Ｌ）とスイング練習補助具（１）とを固定するものであり、
前記固定により半球状弾性体（２）は、
使用者がクラブを構えスイングを行う時に、
引手（Ｌ）手首と押手（Ｒ）手首とに挟まれることにより、
引手（Ｌ）の親指中手骨と手首との動きを規制すると共に、
手首のコックをも規制することを特徴とするスイング練習補助具。
【請求項２】
半球状弾性体（２）の弾性体は、
低反発弾性フォームであり、
引手（Ｌ）手首と押手（Ｒ）手首とに挟まれ変形することにより
中手骨接触部（Ｂ）を形成し、
中手骨接触部（Ｂ）は、
引手（Ｌ）の親指中手骨の動きを弾力的に規制する
ことを特徴とする請求項１に記載のスイング練習補助具。
【請求項３】
固定具（３）は、ベルト（３０）であって
半球状弾性体（２）に、ベルト（３０）を通す貫通孔（２１）を設けた
ことを特徴とする請求項１又は請求項２に記載のスイング練習補助具。
【請求項４】
前記ベルト（３０）は、芳香成分が含まれたペレットを着脱可能に設けた
ことを特徴とする請求項３記載のスイング練習補助具。
【発明の詳細な説明】
【技術分野】
【０００１】
本発明は、使用者側の引手とクラブヘッド側の押手との両手を用いたゴルフスイング練習に用いるゴルフスイングの練習補助具に関するものである。
【背景技術】
【０００２】
従来、世界各国では、ゴルフ競技が楽しまれている。このゴルフ競技において、ゴルフボールをゴルフクラブヘッドでプレイヤーの意識する方向に飛ばすのは大変困難であり、初心者の最初の壁である。
プレイヤーの意識する方向に飛ばすには正しいスイングを習得することが必要であり、ゴルフスイングは、両足、両膝、両腿、腰、胴体、頭部、両肩、両上腕、肘、前腕、手首、手、指といった人体部位を用いて、アドレス、テイクバック、バックスイング、トップ、ダウンスイング、インパクト、フォロースルーといった順でなされるものである。
【０００３】
近年のゴルフクラブの進化に伴い、理想的なゴルフスイングも変遷している。即ち、昔のドライバーはパーシモンヘッドと重いスチールシャフトからなっており、当時のスイングはスクエアグリップで手（腕）をターン（返す）させて、ヘッドスピードを上げる動きが重視されていた。これに対して、最近のクラブ、特にドライバーは大容量チタンヘッドで軽量カーボンシャフトが主流となり、慣性モーメントの高いクラブに進化している。最新のクラブで昔のスイングと同じように手をターンさせ過ぎると、慣性モーメントが高い為にボールの方向性が悪くなることから、最近のスイングはグリップをストロングにして、インパクトゾーンで手の回転をなるべく抑え、クラブフェースがスクウェアなインパクトを迎えることができるように、体の回転を重視したスイングが主流になっている。
【０００４】
また、前腕と手とを繋ぐ手首におけるスイングの要素は、コックと称され、ゴルフ初心者から中級者においては扱いが困難であり、コックをあまり使わずに規制するスイングが推奨されている。
たとえば、バックスイングからトップにおいて前腕と手の角度を変更するレイトコックよりも、テイクバック時に行うアーリーコックを初心者に推奨する専門家が多い。
【０００５】
しかしながら、ゴルフボールを飛ばそうと意識すると、アーリーコックを前提としたとしても、トップ時にさらに手首に角度をつけオーバーコッキングとしてしまい、安定しないオーバースイングを行ってしまう初心者が多いものであった。
初心者中級者におけるオーバースイングは、安定しない手首・肘を用いたスイングであるため、クラブヘッドがボールをインパクトする際、クラブヘッドのフェースが開いたり閉じたりし、ボールをまっすぐに飛ばすことが困難なスイングであるとされている。
したがって、アーリーコックスイングに代表されるように手首の動きを規制して、インパクトゾーンにおける手の回転を抑え、現在の理想的なゴルフスイングであるオンプレーンスイング（クラブヘッドを正しいスイングプレーンに乗せてスイングすること）を練習するのが好ましい。
【０００６】
そして、スイングを行う練習器具が多々開発されている。例えば、片手に取り付け前腕同士の幅を決める発明が特許文献１に記載されている。片手に取り付け、クラブシャフトとの距離を一定に保つ考案が特許文献２に記載されている。また、両手に取り付け、前腕同士や上腕同士の幅を決める発明が特許文献３〜６に記載されている。
【０００７】
しかしながら、前述の先行技術では、前腕と手の角度をなす手首のコックを規制できるものではなく、手首のオーバーコッキングを規制できるスイング練習補助具が必要とされている。
【０００８】
このような課題を解決するために、出願人は特許文献７記載の発明をした。
しかしながら、リストブレースの取り付けや、弾性体への流体注入など、製造に手間がかかるものであった。
【先行技術文献】
【特許文献】
【０００９】
【特許文献１】特開２００６−２１２１６７号公報
【００１０】
【特許文献２】公開実用新案平３−１５５７３号公報
【００１１】
【特許文献３】特開平１０−９４６２７号公報
【００１２】
【特許文献４】特許第２７９９６８５号公報
【００１３】
【特許文献５】特許第４６５９９２１号公報
【００１４】
【特許文献６】公開実用新案昭４５−１８３４８号公報
【００１５】
【特許文献７】特願２０１３−０５７６３９号
【発明の概要】
【発明が解決しようとする課題】
【００１６】
そこでこの発明は、特願２０１３−０５７６３９号に記載のスイング練習補助具をさらに改良し、大量生産に対応させることを課題とする。
【課題を解決するための手段】
【００１７】
（請求項１記載の発明）
請求項１記載の発明は、使用者側の引手とクラブヘッド側の押手との両手を用いたゴルフスイング練習に用いるスイング練習補助具であって、前記スイング練習補助器具は、少なくとも半球状弾性体と、固定具とを備え、半球状弾性体は、弾性体を材質とし断面が略楕円形状に凹部を設けたものであり、前記凹部は、引手の手首と親指中手骨を嵌めるように形成されており、固定具は、引手とスイング練習補助具とを固定するものであり、前記固定により半球状弾性体は、使用者がクラブを構えスイングを行う時に、引手手首と押手手首とに挟まれることにより、引手の親指中手骨と手首との動きを規制すると共に、手首のコックをも規制することを特徴とする。
（請求項２記載の発明）
請求項２記載の発明は、請求項１記載のスイング練習補助具において、半球状弾性体の弾性体は、低反発弾性フォームであり、引手手首と押手手首とに挟まれ変形することにより中手骨接触部を形成し、中手骨接触部は、引手の親指中手骨の動きを弾力的に規制することを特徴とする。
（請求項３記載の発明）
請求項３記載の発明は、請求項１又は２記載のスイング練習補助具において、固定具をベルトとし、半球状弾性体に、ベルトを通す貫通孔を設けたことを特徴とする。
（請求項４記載の発明）
請求項４記載の発明は、請求項３に記載のスイング練習補助具において、ベルトに芳香成分が含まれたペレットを着脱可能に設けたことを特徴とする。
【発明の効果】
【００１８】
（請求項１記載の発明の効果）
グリップを握ったとき半球状弾性体は、引手手首と押手手首とに挟まれ、引手親指の付け根から手首までの三角形を埋めることにより、引手の親指中手骨と手首との動きを規制する。さらに、引手の親指と押手の親指とが一直線となる従来のグリップとは異なり、引手親指が押手内側に若干（およそ指１本分）移動し、近年のゴルフ理論が推奨する正しいグリップに矯正することができる。
これにより、前腕と手の角度をなす手首のコックを規制し、いわゆるオーバーコッキングのないスイングを可能とするスイング練習補助具を提供することができる。
従来技術においては、前腕や肘で挟むものが多く両肩に力が入り、バックスイングやターンをしづらいものであったが、請求項１記載の発明は、通常のグリップを同じように利用できるので、肩によけいな力が入らないものである。
このような、特願２０１３−０５７６３９号の効果を備えると共に、請求項１記載の発明は、リストブレースの取り付けや、弾性体への流体注入など、製造に手間がかからないものとなった。
また、特願２０１３−０５７６３９号のスイング練習補助具は、板状のリストブレースを備える為、長時間接触していると手首の接触部分に痛みを感じるものであったが、請求項１記載の発明においては改善されている。
（請求項２記載の発明の効果）
請求項２記載の構成とすると、低反発弾性フォームの作用によって、プレイヤーが力いっぱいスイングしたとしても緩やかにオーバーコッキングの規制をすることができる。
（請求項３記載の発明の効果）
貫通孔を設けベルトを通すと、スイング練習器具として一体化させて用いることができる。
（請求項４記載の発明の効果）
アロマオイルや、虫除け剤などの芳香成分を含むペレットを取り付けることができるものとなり、快適にスイングを行うことができる。
【図面の簡単な説明】
【００１９】
【図１】実施例１のスイング練習補助具使用時の全体斜視図である。
【図２】実施例１のスイング練習補助具背面の全体斜視図である。
【図３】実施例１のスイング練習補助具の平面図である。
【図４】実施例１のスイング練習補助具の中央Ａ−Ａ断面図である。
【図５】実施例２のスイング練習補助具の平面図である。
【図６】実施例２のスイング練習補助具の中央Ａ−Ａ断面図である。
【発明を実施するための形態】
【００２０】
以下に、この発明のスイング練習補助具を、実施例として示す各図とともに説明する。
【実施例１】
【００２１】
〔１．スイング練習補助具１について〕
図１に示すように、スイング練習補助具１は、使用者側の引手Ｌとクラブヘッド側の押手Ｒとの両手を用いたゴルフスイング練習に用いるものである。
ゴルフスイングは、アドレス、テイクバック、バックスイング、トップ、ダウンスイング、インパクト、フォロースルーといった順でなされるものである。引手Ｌと押手Ｒの表現は、トップ、ダウンスイング、インパクト、フォロースルーの動作を行う際の手ＬＲの動きに基づくものである。
【００２２】
右利きプレイヤーの場合、図１に示すように、引手Ｌは左手となり押手Ｒは右手となる。左利きプレイヤーの場合、図１は鏡写しとなり、引手Ｌは右手となり押手Ｒは左手となる。
そして、スイング練習補助具１は引手Ｌに装着するものであり、半球状弾性体２と、固定具３とを備えるものである。
半球状弾性体２は、固定具３によって、引手Ｌ手首に固定される。このような態様であると、引手の親指と押手の親指とが一直線となる従来のグリップとは異なり、引手親指が押手内側に若干（およそ指１本分）移動し、近年のゴルフ理論が推奨する正しいグリップに矯正することができる。また、固定具３は、ベルト３０とするのが好ましい。
【００２３】
〔２．半球状弾性体２について〕
半球状弾性体２は、図２〜図５に示すように、断面が略楕円形状に凹部２０を設けたものであり、弾性体を材質としている。
半球状弾性体２は、直径１００ｍｍ〜２００ｍｍの略球形弾性体が凹部２０を備えるものとするのが好ましい。凹部２０は、使用者の手首に合わせて、幅３０ｍｍ〜６０ｍｍ、深さ２０ｍｍ〜５０ｍｍの範囲で設けるのが好ましい。したがって、凹部２０を備える半球状弾性体２の断面は、図４に示すように半月形状となるものである。前述の半月形状は、三日月形状や、みかんの果皮内にある一房の側面の如く、ヘミサイクル形状である。また、凹部２０は、手首側を幅狭とし肘側を幅広とし、前腕から手首の幅に対応させるのが好ましい。これにより、半球状弾性体２の材質と相俟って、フィット感を向上することができる。
【００２４】
半球状弾性体２の材料には、天然ゴム、ウレタンゴム、シリコーンゴム、フッ素ゴム、その他の合成ゴムなどのエラストマ材料を用いることができる。バネの様な「弾性」と粘土やガムの様な「粘性」を併せ持つ「低反発弾性フォーム」を用いるのが好ましい。
より具体的には、「密度：４０〜８０ｋｇ／ｍ３、硬さ（ＪＩＳ  Ｋ  ６４００−２）：５３〜４０Ｎ、圧縮たわみ試験（ＪＩＳ  Ｋ  ６４００−２）ヒステリシスロス：５６〜６８％」の軟質ウレタンフォームを用いることができる。
特願２０１３−０５７６３９号のスイング練習補助具は、板状のリストブレースを備える為、長時間接触していると手首の接触部分に痛みを感じるものであったが、本件実施例においては改善されている。また、リストブレースの取り付けや、弾性体への流体注入など、製造に手間がかからないものとなった。
【００２５】
〔２−１．貫通孔２１について〕
半球状弾性体２には、図２〜図４に示すように、固定具３を通す為の貫通孔２１を設けるのが好ましい。
貫通孔２１は、図４に示すように半球状弾性体２の弦方向と並行に一か所形成されている。このように形成すると、図２、図４に示す直線状端部２２が引手Ｌの長手方向に密着する態様となる。
貫通孔２１は、図４に示すように凹部２０の中央部分と半球状弾性体２の中央部分を二等分する位置に設けるのが好ましい。
【００２６】
〔３．固定具３について〕
固定具３は、引手Ｌとスイング練習補助具１とを固定するものであり、ベルト３０を用いるのが好ましい。図１に示すように、ベルト３０を固定すると、半球状弾性体２を引手Ｌに固定することができる。
ベルト３０は、任意の長さで固定できるベルト具であれば良く、取り付け・取り外しが簡易で細かい長さ調整が可能な面ファスナを用いるのが好ましい。
また、一端を面ファスナホック部とし、中央部を面ファスナループ部とし、もう一端は最端に折り返しバックル３１を設けた伸縮ゴムベルト３２とするのが好ましい。このようにすると、面ファスナ部を折り返しバックル３１に通し、折り返してループ部で固定することができる。
図１〜図４に示す固定ベルト３０は、全長５００ｍｍ、幅２５ｍｍ、厚さ１ｍｍのものを用いた。
また、ベルト３０は芳香成分が含まれたペレットを着脱可能とすることができる。芳香成分には、アロマオイル、虫除け薬などを例示することができる。虫除け効果のある植物製油（ユーカリ油・シトロネラ油）などをベルト３０に浸み込ませても良い。
このようにすると、アロマ効果や虫除け効果により快適にスイング練習を行うことができる。
【００２７】
〔４．引手Ｌへの取り付け位置について〕
スイング練習補助具１の引手Ｌへの取り付け位置は、図１に示すように、前述の固定具３が手首関節の角度変更点を覆うようにすると共に、固定具３が半球状弾性体２の中央頂上を通過する態様で取り付ける。取り付けにより固定された半球状弾性体２は、使用者がクラブを構えスイングを行う時に、引手Ｌ手首と押手Ｒ手首とに挟まれる態様となる。
この取り付けが簡単となるように、半球状弾性体２の表面に、取り付け箇所を記載するのが好ましい。
【００２８】
〔５．中手骨接触部Ｂについて〕
図１の態様でスイング練習補助具１を引手Ｌに取り付けると、半球状弾性体２の引手Ｌ側端部は、引手Ｌの中手骨に接触する。この接触部分を、図２に示すように中手骨接触部Ｂとする。
引手Ｌに取り付けられたスイング練習補助具１において、凹部２０は引手Ｌの前腕先端から親指付け根まで接触し、引手Ｌと押手Ｒに挟まれ半球状弾性体２は変形する。
変形した半球状弾性体２は、引手Ｌの前腕と手の角度変化に対して変形し難いものとなる。
次に、引手Ｌの前腕と親指中手骨との角度が大きくなると、中手骨接触部Ｂが押手Ｒ側に移動しようとし、引手Ｌの手首部と凹部２０の内側表面との間に隙間を作ろうとする。前述の隙間を作ろうとしても、半球状弾性体２の凹部２０の対向部分は押手Ｒに当たる。これにより、この凹部２０の移動は、半球状弾性体２の弾力によって規制される。
結果として前述の規制は、使用者側の引手Ｌの親指がクラブシャフトに沿うようにクラブヘッド側の押手Ｒによって握られた場合、使用者側の引手Ｌ前腕長手方向と、クラブシャフトの角度が規制されるものとなる。
【００２９】
〔６．スイングの改善について〕
次に、スイング練習補助具１を引手Ｌに取り付けた場合の、スイングの改善について説明する。
スイングは、アドレス、テイクバック、バックスイング、トップ、ダウンスイング、インパクト、フォロースルーの順でなされるものとし、順々にスイング練習補助具１の効果を説明する。
【００３０】
〔６−１．アドレス時の効果〕
アドレス時には、両肩を辺とし、引手Ｌ押手Ｒとを下側頂点とする逆三角形を保持するようにクラブを構えるものである。この際、特開２００６−２１２１６７号などは、手首から肘の間で挟もうとする力が加わる為、両肩に力が入り、背中の筋肉も固くなり、後述するバックスイングがしづらくなるものであった。しかしながら、本発明のスイング練習補助具１は、引手Ｌの親指の付け根から手首にかけて装着するため、グリップを握る力だけでよく、肩に力が入りにくいものとなる。
また、本発明のスイング練習補助具１では、半球状弾性体２を用いて前述の逆三角形を埋める態様であるので、自然なフォームをとるとこができ、体の軸がぶれないようにアドレスすることができる。
【００３１】
〔６−２．テイクバック、バックスイング時の効果〕
テイクバックでは、手首のコッキングでクラブヘッドをスイングプレーンに乗せ、アドレス時の逆三角形と、体とグリップとの間隔を保持すべきである。
しかしながら、特開２００６−２１２１６７号などは、両腕で挟む力を必要とし、押手Ｒが不自然な動作となる。本発明のスイング練習補助具１は、グリップを握る力だけで、テイクバックおよびバックスイングができるので、押手Ｒに余分な力が入らず、自然に動かすことができる。また、本発明のスイング練習補助具１は、押手Ｒの手首部分で半球状弾性体２を押さえるので、押手Ｒの脇が開かず、フライングエルボの防止にもなる。
【００３２】
〔６−３．バックスイング、トップ時の効果〕
バックスイングでは、体の中心である体幹を捩じりながらクラブを右肩サイドまで振り上げる。この結果、クラブの慣性モーメントによってトップでは、クラブが地面と略平行な地点に収まる。理想的なトップ位置は引手Ｌ、シャフト、フェース面が一枚の板の上に乗っている。
ここにおいて前腕の長手軸と引手Ｌの親指中手骨の角度が大きくなると、クラブシャフトが略並行から垂直状態に近づき、オーバーコッキングやオーバースイングと呼ばれる状態になる。
初心者中級者におけるオーバースイングは、安定しない手首・肘を用いたスイングであるため、クラブヘッドがボールをインパクトする際、クラブヘッドのフェースが開いたり閉じたりし、球筋が安定しない。このようなスイングの改善方法として、オーバーコッキングの防止がある。オーバーコッキングの防止とは、すなわちリストコックを規制するものであり、言い換えると、前腕の長手軸と引手の親指中手骨の角度が大きくならないように規制するものである。特開２００６−２１２１６７号などは、バックスイング、トップ時においても両腕で挟む力を必要とし、押手Ｒが不自然な動作となる。本発明のスイング練習補助具１は、グリップを握る力だけで、バックスイングからトップの形ができるので、押手Ｒに余分な力が入らず、自然に動かすことができつつオーバーコッキングを防止する。
【００３３】
〔６−４．ダウンスイング、インパクト時の効果〕
ダウンスイングの初期段階では腕とクラブの重さを利用し、クラブを自然落下させてスイングプレーンにクラブを乗せる。次いで、手首のコッキングをできる限り解かず、インパクトゾーンの軌道に沿ってクラブヘッドを加速させる。この時、半球状弾性体２は、引手Ｌと押手Ｒの手首または前腕部の一方をフリーの状態とする作用により、引手Ｌと押手Ｒの手首乃至前腕部が半球状弾性体２を収縮させて接近することを規制する作用を有している。したがって、前記アドレス時の逆三角形を保持すると同時に、インパクトゾーンにおける過度の手の回転（ロール）も抑えられる。
【００３４】
〔６−５．インパクト、フォロースルー時の効果〕
インパクトから手首のコッキングを解き放ち、クラブヘッドを開放する（リリース動作とも言う。）ことにより、フォロースルーではクラブヘッドに最大の遠心力が働いた後、フィニッシュに至る。
この際、特開２００６−２１２１６７号などは、両腕で挟む力を必要とし、体をターンすることが難しいものであるが、本発明のスイング練習補助具１は、親指の付け根から手首にかけて装着するため、ボディターンが容易なものとなる。
また、フォロースルーの際も、親指の付け根から手首にかけて半球状弾性体２を挟むものであるので、引手Ｌの肘が体から離れず、脇が閉まった正しいフォロースルーとなる。
【実施例２】
【００３５】
図５は実施例２のスイング練習補助具の平面図であり、図６は実施例２のスイング練習補助具の中央Ａ−Ａ断面図である。
実施例２は、実施例１の〔２−１.貫通孔２１について〕欄に記載された構成が変更されており、その他の欄については実施例１と同様である。
実施例２のスイング練習補助具１は、図５、図６に示すように、貫通孔２１が半球状弾性体２の弦方向に対し垂直に二か所形成されている。
直線状端部２２が引手Ｌの長手方向に密着しづらいオープンタイプとなり、付け心地が涼しい態様を好む使用者に向いている。
二箇所の貫通孔は、図６に示すように、半球状弾性体２の弦を４等分し、弦長さの１／４、３／４の位置を通る垂直線上に設けるのが好ましい。
【産業上の利用可能性】
【００３６】
前述の書面においては、プレイヤーが力んだ際に発生するレイトコッキングの解決を中心に記載したが、例えばアーリーコッキングを行う際の目安のコッキング量を規制するのに利用することもできる。
【符号の説明】
【００３７】
Ｌ    引手
Ｒ    押手
Ｂ    中手骨接触部
１    スイング練習補助具
２    半球状弾性体
２０  凹部
２１  貫通孔
２２  直線状端部
３    固定具
３０  ベルト
３１  バックル
３２  伸縮ゴムベルト
【要約】
【課題】前腕と手の角度をなす手首のコックを規制でき、手首のオーバーコッキングを規制できるスイング練習補助具を提供する。
【解決手段】
使用者側の引手Ｌとクラブヘッド側の押手Ｒとの両手を用いたゴルフスイング練習に用いるスイング練習補助具１であって、前記スイング練習補助器具１は、少なくとも半球状弾性体２と、固定具３とを備え、半球状弾性体２は、弾性体を材質とし断面が略楕円形状に凹部２０を設けたものであり、前記凹部は、引手Ｌの手首と親指中手骨を嵌めるように形成されており、固定具３は、引手Ｌとスイング練習補助具１とを固定するものであり、前記固定により半球状弾性体２は、使用者がクラブを構えスイングを行う時に、引手Ｌ手首と押手Ｒ手首とに挟まれると共に引手Ｌの親指中手骨と手首との動きを規制することを特徴とするスイング練習補助具。
【選択図】図２【図１】
0005582374.tif 000002
【図２】
0005582374.tif 000003
【図３】
0005582374.tif 000004
【図４】
0005582374.tif 000005
【図５】
0005582374.tif 000006
【図６】
0005582374.tif 000007